(57)【要約】【課題】コストの上昇を抑え、表示器に近接した文字板の指標部を良好に透過照明することが可能な計器装置を提供するものである。【解決手段】透過照明される指標部３ａ，３ａａを備えた文字板３と、指標部３ａを照明する文字板用光源１０と、透過型表示部である液晶表示素子１１と、この液晶表示素子１１を透過照明する透過表示部用光源である液晶用光源１２と、液晶表示素子１１を保持するとともに液晶用光源１２を収納する液晶ホルダ１３とを備えた計器装置において、液晶ホルダ１３に貫通孔１７を設け、貫通孔１７を通して液晶用光源１２で指標部３ａａを照明するものである。【選択図】  図３
2005024306.tif 000002
【特許請求の範囲】
【請求項１】
透過照明される指標部を備えた文字板と、前記指標部を照明する文字板用光源と、透過型表示部と、この透過型表示部を透過照明する透過表示部用光源と、前記透過型表示部を保持するとともに前記透過型表示部用光源を収納するホルダとを備えた計器装置において、前記ホルダに貫通孔を設け、前記貫通孔を通して前記透過型表示部用光源で前記指標部を照明することを特徴とする計器装置。
【請求項２】
前記透過型表示部用光源を発光ダイオードとしたことを特徴とする請求項１記載の計器装置。
【請求項３】
前記透過型表示部用光源と前記指標部とを結ぶ直線上に前記貫通孔を設けたことを特徴とする請求項１記載の計器装置。
【発明の詳細な説明】
【０００１】
【発明の属する技術分野】
本発明は、指針と文字板とを対比し、指示値を判読する計器装置に関し、特に透過照明式の文字板を備えるとともに文字板内若しくは近傍に設けた窓部に臨む透過照明される表示部を備えた計器装置に関する。
【０００２】
【従来の技術】
従来の計器装置は、指針軸を介して指針を駆動する交差コイル式の計器本体と、指針の後方に設けられ文字や目盛りや意匠などからなる指標部を備えた文字板と、この文字板の後方に配設され指標部を透過照明する文字板用光源と、前記文字板内に設けた窓部から露出する表示部と、この表示部の後方に配設されるとともに表示部を照明する表示部用光源とから構成されていた。この表示部は、車両に関する複数の情報（例えば、走行距離や警報表示などの様々な情報）を表示するものであり、液晶表示素子を用いている。
【０００３】
そして、表示器を文字板内あるいはその近傍に配置した場合、文字板の指標部を透過照明するために、文字板背後に位置する表示器と文字板の指標部とが干渉しない（すなわち、指標部の背後にと表示器が位置しない）ように、文字板の指標部４の位置を設計しなければならず、文字板全体のデザイン的なバランスが取りずらかった。あるいは、指針の回動範囲が広くなるように指標部の位置を文字板全体に均等に設計すると、指標部が表示器と重なってしまい一部の指標部の照明ができないという問題によって、表示器を指標部に近接して配設することはできなかった。
【０００４】
そこで、液晶表示素子の形状を、通常の四角形状ではなく、文字板の指標部に干渉しないような形状（例えば、前記指標部に対応する部分の角部を取り除いた台形など）にした液晶表示素子を用いればよいが、液晶表示素子が四角形状以外の形状で形成すると、液晶表示素子そのものにコストがかかり、ひいては計器装置のコストの上昇を招いてしまうことになる。
【０００５】
そこで、通常の四角形の液晶表示素子を使ったものとして、指針の後方に配設されるとともに透過照明される複数の指標部を備えた文字板と、この文字板の後方に配設され前記指標部を照明する第１の光源と、前記文字板内若しくは近傍に設けた窓部に臨む表示部を有する液晶表示素子を備えるとともに前記指標部の一部と干渉する液晶表示器とを備え、前記液晶表示器に前記表示部を透過照明する第２の光源と、前記第２の光源を収納するライトケースと、前記液晶セルの表示部を除いた非表示部の一部を露出して前記液晶セルを前記ライトケースに保持するセル抑えとを備え、前記第１の光源が前記非表示部を介して前記液晶表示器と干渉する前記指標部を照明するものがある（例えば、特許文献１参照）。
【０００６】
【特許文献１】
特開平９−２９２２６７号公報（図１）
【０００７】
【発明が解決しようとする課題】
しかし、近年さらなるコストダウンが望まれており、文字板を照明する光源の数も減少している。この光源の減少に伴い、表示器の部分に干渉する位置に設けられる指標部は、限られた光源では、照明することが難しくなっていた。
【０００８】
そこで、本発明は、この点に鑑みてなされたもので、その主な目的は、コストの上昇を抑え、表示器に近接した文字板の指標部を良好に透過照明することが可能な計器装置を提供するものである。
【０００９】
【課題を解決するための手段】
本発明は前記目的を達成するため、透過照明される指標部を備えた文字板と、前記指標部を照明する文字板用光源と、透過型表示部と、この透過型表示部を透過照明する透過表示部用光源と、前記透過型表示部を保持するとともに前記透過型表示部用光源を収納するホルダとを備えた計器装置において、前記ホルダに貫通孔を設け、前記貫通孔を通して前記透過型表示部用光源で前記指標部を照明するものである。
【００１０】
また、前記透過型表示部用光源を発光ダイオードとしたものである。
【００１１】
また、前記透過型表示部用光源と前記指標部とを結ぶ直線上に前記貫通孔を設けたものである。
【００１２】
【発明の実施の形態】
本発明の計器装置は、透過照明される指標部３ａを備えた文字板３と、指標部３ａを照明する文字板用光源１０と、透過型表示部である液晶表示素子１１と、この液晶表示素子１１を透過照明する透過表示部用光源である液晶用光源１２と、液晶表示素子１１を保持するとともに液晶用光源１２を収納する液晶ホルダ１３とを備えた計器装置において、液晶ホルダ１３に貫通孔１７を設け、貫通孔１７を通して液晶用光源１２で指標部３ａを照明するものである。このように構成したことにより、コストの上昇を抑え、表示器に近接した文字板の指標部を良好に透過照明することが可能な計器装置を提供することができる。
【００１３】
また、液晶用光源１２を発光ダイオードとしたものである。このように構成したことにより、コストの上昇を抑え、表示器に近接した文字板の指標部を良好に透過照明することが可能な計器装置を提供することができる。
【００１４】
また、液晶用光源１２と指標部３ａとを結ぶ直線上に貫通孔１７を設けたものである。このように構成したことにより、コストの上昇を抑え、表示器に近接した文字板の指標部を良好に透過照明することが可能な計器装置を提供することができる。
【００１５】
【実施例】
図１から図５は本発明の一実施例を示すものである。
【００１６】
本実施例の計器装置１は、本実施例では、車両の速度を表す速度計であり、図１に示すように、指針２と文字板３と表示器４とを備えている。なお、５は見返し板であり、文字板３が露出する開口５ａを備えている。
【００１７】
指針２は後述する指針用光源によって発光するものであり、後述する計器本体によって、文字板３上を回転する。
【００１８】
文字板３は、後述される文字板用光源によって透過照明される指標部３ａ，３ａａを備えている。また、図１中、文字板３の下部には、表示器４が露出する窓６を備えている。指標部３ａａは、本実施例では目盛であり、表示器４に近接しているものである。他の指標部３ａは、目盛の他に四角形で表した速度を表す文字や記号などを含むものである。
【００１９】
この文字板３は透明な合成樹脂製の板状体であり、指標部３ａ、３ａａを除いた部分は、遮光性塗料によって形成された遮光層３ｂが設けられている。
【００２０】
この文字板３の背後（図２中では下側）には、合成樹脂からなるフレーム７が設けられており、このフレーム７の背後には、回路基板８が設けられている。回路基板８には、指針用光源９と文字板用光源１０となる発光ダイオードが設けられている。また、その背面には計器本体Ｍが設けられている。
【００２１】
フレーム７は指針用光源９を収納する指針用照明室７ａと文字板用光源１０を収納する文字板用照明室７ｂとを備えており、指針用照明室７ａを形成する筒状の壁７ｃにて、指針用照明室７ａと文字板用照明室７ｂとを区切っている。文字板用照明室７ｂは、文字板用光源１０によって指標部３ａを照明するものである。
【００２２】
表示器４は、透過型表示部である液晶表示素子１１と、この液晶表示素子１１を透過照明する透過型表示部用光源である液晶用光源１２と、液晶表示素子１１を保持するとともに液晶用光源１２を収納する液晶ホルダ１３とから構成されている。なお、液晶用光源１２は表面実装タイプの発光ダイオードである。
【００２３】
液晶表示素子１１は、複数のリードピン１４によって、回路基板８と電気的に接続している。
【００２４】
液晶ホルダ１３は合成樹脂製であり、本実施例では白色である。液晶ホルダ１３の外形は直方体であり、図３で示すように、側面に突出した突出部１５を２つ備えている。１３ａは固定用の爪１３ｂを備えた弾性片であり、この爪１３ｂを備えた弾性片１３ａによって、液晶ホルダ１３が回路基板８に固定されている。１３ｃは、液晶用光源１２からの光を拡散する拡散板である。
【００２５】
突出部１５の一つ（図３の右側の突出部１５）は、文字板３の指標部３ａａに対応する部分及びその近傍に対応する部分の直下に位置するように設けられており、その形状は、図４で示すように、ほぼ１／４円弧形状であり、その内部に液晶用光源１２を収納している。そして、液晶表示素子１１の背後には、反射面１６を備えている。この反射面１６は、液晶ホルダ１３と一体に形成されたもので、突出部１５の内面にて反射された液晶用光源１２からの光を、液晶表示素子１３に反射するものである。液晶用光源１２が発光ダイオードであるので、小型であり、液晶ホルダ１３を小型に、特に、高さを低くすることができる。
【００２６】
また、突出部１５の一つには、貫通孔１７が設けられている。この貫通孔１７は図３で示すように、計器装置１の正面から見た場合に、四角形である。この貫通孔１７を通して、液晶用光源１２で、指標部３ａａを照明するものである。このように構成したことにより、文字板用光源１０を増やさず、指標部３ａａを照明することができるので、コストの上昇を抑え、表示器４に近接した文字板３の指標部３ａａを良好に透過照明することができる。
【００２７】
また、本実施例では、図５で示すように、液晶用光源１２と指標部３ａａとを結ぶ直線上に貫通孔１７を設けてある。このように構成することにより、液晶用光源１２からの直接光と、突出部１５内で乱反射した光とで、指標部３ａを良好に照明することができる。なお、この場合、この直線は、液晶用光源１２の光の射出方向に対して傾斜していることにより、直接光の量を抑え、指標部３ａａの照明ムラを抑え、均一に照明することができる。
【００２８】
【発明の効果】
以上、本発明によれば、初期の目的を達成することができ、コストの上昇を抑え、表示器に近接した文字板の指標部を良好に透過照明することが可能な計器装置を提供することができる。
【図面の簡単な説明】
【図１】本発明の一実施例の計器装置の正面図である。
【図２】図１中Ａ−Ａ線の断面図である。
【図３】同実施例の指針と文字板を取り除いた正面図である。
【図４】図３中Ｂ−Ｂ線の断面図である。
【図５】図３中Ｃ−Ｃ線の断面図である。
【符号の説明】
１    計器装置
３    文字板
３ａ，３ａａ  指標部
１０    文字板用光源（発光ダイオード）
１１    液晶表示素子
１２    液晶用光源
１３    液晶ホルダ
１７    貫通孔
【図１】
2005024306.tif 000003
【図２】
2005024306.tif 000004
【図３】
2005024306.tif 000005
【図４】
2005024306.tif 000006
【図５】
2005024306.tif 000007